(57)【要約】【課題】  化粧スレートなどの屋根材を配置した屋根上にも容易に取り付けることができ、かつ効率良く生産することのできる屋根安全具取付金具を提供すること。【解決手段】  本発明の屋根安全具取付金具は、基板本体および安全具取付部を備える。本発明において、基板本体は、表側において、互いに略平行となるように延びる少なくとも２つの凸条部と、隣り合う凸条部の間に配置されておりかつ複数のネジ孔を有する第１凹条部とを備え、そして安全具取付部は、基板本体の凸条部に固定されている。【選択図】  図１
2020037841.tif 000002
【特許請求の範囲】
【請求項１】
基板本体および安全具取付部を備える、屋根安全具取付金具であって、
該基板本体が、表面側において、略平行に配置された少なくとも２つの凸条部と、該凸条部の間に配置されておりかつ該表面側から裏面側に貫通する複数のネジ孔を有する第１凹条部とを備え、そして
該安全具取付部が該基板本体の該凸条部に固定されている、屋根安全具取付金具。
【請求項２】
最も外側に配置された前記凸条部の外側に、該凸条部と略平行に配置された第２凹条部が設けられている、請求項１に記載の屋根安全具取付金具。
【請求項３】
前記凸条部に対応して、前記基板本体の前記裏面側に裏面凹条部を有する、請求項１または２に記載の屋根安全具取付金具。
【請求項４】
前記第１凹条部が、該第１凹条部の軸方向に沿って前記ネジ孔を覆うシャッター板を備える、請求項１から３のいずれかに記載の屋根安全具取付金具。
【請求項５】
さらに、前記基板本体を覆うカバーを備え、かつ前記安全具取付部が、該カバーを介して該基板本体の前記凸条部に固定されている、請求項１から４のいずれかに記載の屋根安全具取付金具。
【請求項６】
前記安全具取付部がアイストラップである、請求項１から５のいずれかに記載の屋根安全具取付金具。
【請求項７】
建築物の屋根上に、請求項１から６のいずれかに記載の屋根安全具取付金具を配置して構成される、屋根構造であって、
該屋根安全具取付金具が、該屋根上で、該屋根安全具取付金具の基板本体に設けられた第１凹条部が水平方向を指向するように配置されており、
該基板本体がネジによって該ネジ孔を介して該屋根の下部に配置された野地板と固定されており、そして
該屋根安全具取付金具の安全具取付部が露出している、屋根構造。
【請求項８】
前記屋根が化粧スレート屋根である、請求項７に記載の屋根構造。
【発明の詳細な説明】
【技術分野】
【０００１】
本発明は、建築物の屋根上に取り付けて安全ロープ等の留め具として用いることができる屋根安全具取付金具に関する。
【背景技術】
【０００２】
屋根上などの高所作業時には、落下事故を未然に防止するために、作業者は安全ロープ（安全帯）を装着することが一般的である。そして、この安全ロープの他端は、屋根上などの高所に一時的または恒久的に高所に取り付けられた安全具取付金具に固定される。
【０００３】
このような安全具取付金具について、すでにいくつかの形態のものが知られている。
【０００４】
例えば、特許文献１では、両端部にフック用ループが設けられたワイヤーロープを用い、一端のループを瓦の下に固定し、かつ瓦の間から外に出した他端のループに安全ロープを固定することができる安全帯取付用金具が提案されている。特許文献２では、座金に立設された支柱に環金具（シャックル）を取り付けた屋根上作業用安全金具が提案されている。特許文献３では、野地板に固着する固着部と、瓦尻側端部に掛止される掛止部と、軒側方向に延べる連結部と、作業者の安全帯が取り付けられる取付部とを備えた屋根用安全金具が提案されている。
【０００５】
しかし、これらの取付用金具には、以下のような課題も存在する。例えば、特許文献１の安全帯取付用金具は、作業者が移動する毎に瓦の下から伸びるワイヤーロープ自体も動くため、ワイヤーロープが瓦と接触して破損するおそれがある。特許文献２の屋根上作業用安全金具は、支柱の設置高さに起因して引抜耐力が充分であるとは言えず、そして金具の取付および取り外しに時間を要するため、作業性に劣ると考えられる。特許文献３の屋根用安全金具は、多くの折り曲げ部を有するために製造上の手間とコストが掛かり、また当該折り曲げ部自体は延び易く引っ張り強度や引抜耐力が低下することが考えられる。
【０００６】
さらに、近年では、住宅等の屋根の軽量化や屋根材自体の生産性向上等の観点から、セメントと補強繊維とを加圧成型して得られる「化粧スレート」と呼ばれる屋根材が多く採用されている。こうした化粧スレートを用いた屋根にも目立たず容易かつ強固に取り付けることのできる屋根安全具取付金具が所望されている。
【先行技術文献】
【特許文献】
【０００７】
【特許文献１】実用新案登録第３１１３３０１号公報
【特許文献２】実用新案登録第３１６２６２５号公報
【特許文献３】特開２０１１−５８２５４号公報
【発明の概要】
【発明が解決しようとする課題】
【０００８】
本発明は、上記問題の解決を課題とするものであり、その目的とするところは、化粧スレートなどの屋根材を配置した屋根上にも容易に取り付けることができ、かつ効率良く生産することのできる屋根安全具取付金具を提供することにある。
【課題を解決するための手段】
【０００９】
本発明は、基板本体および安全具取付部を備える、屋根安全具取付金具であって、
該基板本体が、表面側において、略平行に配置された少なくとも２つの凸条部と、該凸条部の間に配置されておりかつ該表面側から裏面側に貫通する複数のネジ孔を有する第１凹条部とを備え、そして
該安全具取付部が該基板本体の該凸条部に固定されている、屋根安全具取付金具である。
【００１０】
１つの実施形態では、最も外側に配置された上記凸条部の外側に、該凸条部と略平行に配置された第２凹条部が設けられている。
【００１１】
１つの実施形態では、上記凸条部に対応して、上記基板本体の上記裏面側に裏面凹条部を有する。
【００１２】
１つの実施形態では、上記第１凹条部は、該第１凹条部の軸方向に沿って上記ネジ孔を覆うシャッター板を備える。
【００１３】
１つの実施形態では、本発明の屋根安全具取付金具は、さらに上記基板本体を覆うカバーを備え、かつ上記安全具取付部は、該カバーを介して該基板本体の上記凸条部に固定されている。
【００１４】
１つの実施形態では、上記安全具取付部はアイストラップである。
【００１５】
本発明はまた、建築物の屋根上に、上記屋根安全具取付金具を配置して構成される、屋根構造であって、
該屋根安全具取付金具が、該屋根上で、該屋根安全具取付金具の基板本体に設けられた第１凹条部が水平方向を指向するように配置されており、
該基板本体がネジによって該ネジ孔を介して該屋根の下部に配置された野地板と固定されており、そして
該屋根安全具取付金具の安全具取付部が露出している、屋根構造である。
【００１６】
１つの実施形態では、上記屋根は化粧スレート屋根である。
【発明の効果】
【００１７】
本発明によれば、瓦以外の屋根材（例えば、化粧スレート）で構成される屋根上への取り付けが容易となる。本発明の屋根安全具取付金具はまた、低重心の構造体で構成されていることから、屋根上の外観を損なうことなく、良好な引っ張り強度や引抜耐力を確保することができる。それにより、一端が作業者に繋がれた安全ロープの他端を確実かつ強固に取り付けることができる。
【図面の簡単な説明】
【００１８】
【図１】本発明の屋根安全具取付金具の一例を示す、当該屋根安全具取付金具の斜視図である。
【図２】図１に示す屋根安全具取付金具の幅方向の断面図である。
【図３】図１に示す屋根安全具取付金具を屋根上に配置した状態を説明するための本発明の屋根構造の模式断面図である。
【図４】本発明の屋根安全具取付金具の他の例を示す斜視図である。
【図５】図４に示す本発明の屋根安全具取付金具の幅方向の断面図である。
【図６】図５に示す本発明の屋根安全具取付金具の底面に配置される防水シートの一例を示す、当該防水シートの平面図である。
【図７】本発明の屋根安全具取付金具の別の例を示す模式図であって、（ａ）は、当該屋根安全具取付金具の平面図であり、（ｂ）は（ａ）に示す屋根安全取付金具のＡ１−Ａ１断面図であり、そして（ｃ）は（ａ）に示す屋根安全取付金具のＢ１−Ｂ１断面図である。
【図８】本発明の屋根安全具取付金具のさらに別の例を示す模式図であって、（ａ）は、当該屋根安全具取付金具の平面図であり、（ｂ）は（ａ）に示す屋根安全取付金具のＡ２−Ａ２断面図であり、そして（ｃ）は（ａ）に示す屋根安全取付金具のＢ２−Ｂ２断面図である。
【図９】図７に示す本発明の屋根安全具取付金具を屋根上に配置した状態を説明するための本発明の屋根構造の模式断面図である。
【発明を実施するための形態】
【００１９】
図１は、本発明の屋根安全具取付金具の一例を示す当該取付金具の斜視図である。
【００２０】
本発明の屋根安全具取付金具１００は、基板本体１１０と安全具取付具１６０とを備える。
【００２１】
基板本体１１０は、矩形でありかつ少なくとも表側において凹凸面を備える金属製の部品である。図１において、基板本体１１０の表面側には、２つの凸条部１１２，１１４が基板本体１１０の長さ方向に対して、互いに略平行となるように配置されている。凸条部１１２，１１４はそれぞれ略平坦な上面１１６，１１８を有し、該上面１１６，１１８上に後述する安全具取付具１６０が固定されている。上面１１６，１１８は、凸条部１１２，１１４の軸方向に沿って配置されている。なお、本発明において、基板本体に設けることのできる凸条部の数は必ずしも２つに限定されず、例えば、２つまたはそれ以上の凸条部が設けられていてもよい。
【００２２】
さらに、基板本体１１０には、凸条部１１２，１１４の間に第１凹条部１２０が設けられている。
【００２３】
第１凹条部１２０は溝状の形態を有し、凸条部１１２，１１４と略平行に配置されている。第１凹条部１２０はまた、凸条部１１２，１１４の上面１１６，１１８と段差を生じる底面１２２を有する。底面１２２は略平坦であり、第１凹条部１２０の軸方向に沿って配置されている。底面１２２には、第１凹条部１２０の表面側から裏面側に貫通する複数のネジ孔１２４が、例えば略均等な間隔を空けて設けられている。ここで、本明細書中に用いられる用語「ネジ」とは、締め付けにより固定することのできるねじ山が切られた部品を総称していい、ビス、ボルト、木ねじのような雄ネジを包含する。さらに、本明細書中に用いられる用語「ネジ孔」とは、上記ネジによる固定のために設けられた孔を指していう。ネジ孔１２４のサイズは必ずしも限定されないが、例えば、４ｍｍ〜１０ｍｍである。第１凹条部１２０に設けられるネジ孔１２４の数は必ずしも限定されないが、例えば２個〜１０個である。
【００２４】
第１凹条部１２０にはまた、内側面において水平方向にも第１の水平溝１２５が設けられていてもよい。この第１の水平溝１２５は、後述するシャッター板を基板本体１１０の幅方向端部から挿入し、屋根への取付の際にネジ孔１２４を貫通するネジの頭部を覆い隠すことができる。これにより、第１凹条部１２０への雨水の浸入を防止または低減させることが可能となる。
【００２５】
基板本体１１０には、凸条部１１２，１１４と略平行に配置された第２凹条部１２６，１２８が設けられていてもよい。
【００２６】
第２凹条部１２６，１２８はそれぞれ溝状の形態を有し、凸条部１１２，１１４の外側（すなわち、基板本体１１０に対して、最も外側に配置された凸条部の外側）に配置されている。第２凹条部１２６，１２８は、凸条部１１２，１１４の上面１１６，１１８と段差を生じる底面１３０，１３２を有する。底面１３０，１３２は略平坦である。ここで、第２凹条部１２６，１２８の底面１３０，１３２は、第１凹条部１２０の底面部１２２とは、基板本体１１０の底部１３４から同一の高さとなるように配置されていてもよく、あるいは異なる高さとなるように配置されていてもよい。なお、第２凹条部１２６，１２８のさらに外側は、基板本体１１０の外側面の一部として、長さ方向における壁面１３６，１３８を構成する。
【００２７】
一方、図１において、基板本体１１０の幅方向の側面は、上記壁面１３６，１３８のように閉鎖されておらず、凸条部１１２，１１４、第１凹条部１２０，および第２凹条部１２６，１２８の端面がそのまま現れるように開放されている。これにより、本発明の屋根安全具取付金具１００が屋根上に固定された後、屋根上に降った雨水や砂埃は基板本体１１０の幅方向の側面を通じて外部に排出可能となる。
【００２８】
図２は、図１に示す屋根安全具取付金具の幅方向の断面図である。
【００２９】
図２に示すように、屋根安全具取付金具１００を構成する基板本体１１０の裏面側には、上記凸条部１１２，１１４に対応する位置に裏面凹条部１４０，１４２が設けられている。裏面凹条部１４０，１４２は溝状の形態を有し、図示しない第２のネジ孔を介して凸条部１１２，１１４の上面１１６，１１８と連通している。裏面凹条部１４０，１４２に設けられる溝は、第２のネジ孔を貫通するネジ１５０（例えば、六角ボルト）の頭部の厚みを収容することができる大きさ（深さ）となるように設計されている。裏面凹条部１４０，１４２に設けられる溝がこのような大きさを有していることにより、基板本体１１０に安全具取付具１６０がネジ１５０によって固定された際、図２に示すように、ネジ１５０の頭部は裏面凹条部１４０，１４２の溝の中に全て収容され、基板本体１１０の底部１３４からネジ１５０の頭部が突出することを防止される。その結果、本発明の安全具取付金具１００は、化粧スレートなどの平坦な屋根材に対して外周に隙間を作ることなく、底部１３４を密着して配置することができる。
【００３０】
裏面凹条部１４０，１４２にはまた、内側面において水平方向にも第２水平溝１５２，１５３が設けられていてもよい。この第２水平溝１５２，１５３には、予めスプリングワッシャー１５４を基板本体１１０の幅方向端部から挿入しておくことにより、ナット１５６による軽い締め付けでも、ネジ１５０のネジ先１５５を基板本体１１０の表面側に向けた状態に保持することができる。こうした構成は、本発明の屋根安全具取付金具１００を屋根に配置する際、安全具取付具１６０を予め基板本体１１０に固定する必要性から解放される。すなわち、例えば、安全具取付具１６０を予め基板本体１１０に固定した状態で屋根上に配置することができるだけでなく、屋根上に先に基板本体１１０を配置した後に、安全具取付具１６０を当該基板本体１１０に固定して、屋根上で本発明の屋根安全具取付金具１００を完成させることもできるからである。
【００３１】
本発明において、基板本体１１０は、アルミニウム、鉄、銅、ステンレススチールなどの金属から構成されており、押出、切削等の当業者に公知の方法で製造することができる。なお、基板本体１１０の外表面は、必要に応じて防錆処理がなされていてもよい。
【００３２】
本発明において、基板本体１１０の大きさは必ずしも限定されないが、例えば、長さが９０ｍｍ〜２８０ｍｍであり、幅が６０ｍｍから１８０ｍｍであり、そして厚みが７ｍｍ〜３０ｍｍである。
【００３３】
再び図１を参照すると、本発明の屋根安全具取付金具１００を構成する安全具取付具１６０は、例えば、一部が湾曲した形状を有し、上記基板本体１１０の凸条部１１２，１１４に固定されている。安全具取付具１６０は、アルミニウム、鉄、銅、ステンレススチールなどの金属から構成されており、例えば、アイストラップである。
【００３４】
安全具取付具１６０の両端では、凸条部１１２，１１４から延びるネジ先１５５が貫通し、ナット１５６によって堅く締め付けられている。
【００３５】
なお、図１では、安全具取付具１６０は、基板本体１１０の幅方向と略平行に配置されるように、第１凹条部１２０を挟んで、一方の凸条部１１２と他方の凸条部１１４との間で固定されている。当該固定によって、安全具取付具１６０の下方には、第１凹条部１２０の溝とともにより大きな空間が形成される。このため、安全具取付具１６０の下方の開口が大きくなり、作業者が自らの体に固定した安全ロープの他方の先端部に取り付けられた安全具を安全具取付具１６０に装着し易くなるという利点がある。さらに、このような配置では、安全具取付具１６０自体の湾曲を小さくしても、当該安全具取付具１６０の下方には、依然として相応の開口を設けることができる。結果として、作業者による安全具の装着し易さを保持したまま、屋根安全具取付金具１００自体の高さを小さくすることができ、屋根上に配置した際の外観低下を防止するだけでなく、屋根に配置した後に作業者が作業することによって屋根安全具取付金具１００が屋根から離脱するリスクも低減することができる。屋根安全具取付金具１００の高さが小さいほど、屋根安全具取付金具１００と屋根とに固定するネジへの引抜耐力を高めることができるからである。
【００３６】
しかし、本発明において安全具取付具１６０の固定様式は、図１に示す実施形態にのみに限定されない。例えば、屋根安全具取付金具１００と屋根とに固定するネジに対して、充分な引抜耐力が得られる場合には、安全具取付具１６０は、基板本体１１０の幅方向と直交して配置されるように、その両端が一方の凸条部１１２（または他方の凸条部１１４）のみに固定されていてもよい。
【００３７】
さらに、図１では、上記安全具取付具１６０は、基板本体１１０上に１つのみが固定されている。しかし、本発明において基板本体１１０に固定される安全具取付具１６０の数は１つに限定されない。１つの基板本体１１０に対して、複数の安全具取付具が固定されていてもよい。
【００３８】
図３は、図１に示す屋根安全具取付金具を屋根上に配置した状態を説明するための本発明の屋根構造の模式断面図である。
【００３９】
図３に示すように、本発明の屋根安全具取付金具１００は、化粧スレートのような屋根材で構成される屋根１８０上に配置され、第１凹条部１２０のネジ孔１２４に、当該第１凹条部１２０の表面側から裏面側に向かってネジ１７０を通し、屋根１８０の下部に配置された野地板１８２、好ましくは野地板１８２と当該野地板１８２の下方に配置された垂木１８４、まで螺着させることにより、屋根安全具取付金具１００を屋根１８０上で強固に固定した屋根構造２００を得ることができる。本発明の屋根構造２００を構成するネジ１６９は、例えば、ネジ部分１７０（例えば、ビス）のネジ部にブチルゴムなどの耐水性材料が被覆されたブチルゴム付きビスであってもよい。本発明において、ネジ１６９としてこのようなブチルゴム付きビスを用いることにより、野地板１８２に固定した際、ネジ部分１７０は野地板１８２を貫通して強固に固定される一方で、耐水性材料でなる被覆は、野地板１８２内部には入らず、野地板１８２の表面で団子状に盛り上がり環状のシール材１７１を構成することができる。このようにして得られたシール材１７１は、ネジ部分１７０が野地板１８２に貫通する箇所からの漏水を防ぐことができる。また、本発明の屋根構造２００では、外観の向上およびネジ１７０を介して雨水による漏水の防止のために、ネジ１６９の頭部は、第１凹条部１２０に設けられた第１の水平溝１２５にシャッター板１７２を挿入することにより覆い隠されていてもよい。
【００４０】
なお、このような屋根構造において、屋根安全具取付金具１００は、基板本体１００の第１凹条部１２０が水平方向を指向するように屋根１８０上に配置されることが好ましい。
【００４１】
このような配置によれば、作業者が安全具を介して屋根安全具取付金具１００の安全具取付具１６０を引っ張った場合、図３の点Ｐを支点として、当該支点Ｐから安全具取付具１６０に取り付けられた安全具までの距離を最短にすることができる。その結果、当該支点Ｐと当該安全具との間のモーメントが最小となり、ネジ１７０の引き抜き方向にかかる荷重を最小にして、ネジ１７０の引抜耐力を向上させることができる。
【００４２】
さらに、このような配置によれば、屋根の上流側から流れついた雨水は、屋根安全具取付金具１００の壁面１３６で堰き止められ、屋根安全具取付金具１００の外周を伝って下流側に流すことが可能となる。これにより、屋根安全具取付金具１００内部に雨水が入り、ネジ１７０を介して漏水するリスクを低減することもできる。
【００４３】
図４は、本発明の屋根安全具取付金具の他の例を示す斜視図である。
【００４４】
本発明の屋根安全具取付金具３００は、基板本体（図示せず）に、当該基板本体を覆うカバー３０２を備え、安全具取付部１６０がカバー３０２を介して基板本体に固定されている。
【００４５】
次に。図４に示す本発明の屋根安全具取付金具３００の幅方向における断面図を図５として示す。なお、図５において、図１と共通する構成には同一の符号が付されている。
【００４６】
図５に示す屋根安全具取付金具３００において、カバー３０２は、基板本体１１０、好ましくは基板本体１１０の外周および上方を覆っており、金属（例えば、アルミニウム、鉄、銅、およびステンレススチール）、合成樹脂（例えば、ポリエチレン、ポリプロピレン、ポリスチレン、フッ素樹脂、ＡＢＳ樹脂、ＡＳ樹脂、アクリル樹脂、ポリアミド、ポリカーボネート、ポリエチレンテレフタレート、ポリブチレンテレフタレート、ポリフェニレレンサルファイド、フェノール樹脂、エポキシ樹脂、メラミン樹脂）などの材料で構成されている。カバー３０２の内部の大きさは、内部への漏水を防ぐために、基板本体１１０を略またはほとんど隙間のない精度で設計されていることが好ましい。
【００４７】
本発明の屋根安全具取付金具３００では、安全具取付具１６０は、その両端がカバー３０２を介して基板本体１１０の凸条部１１２，１１４から突出したネジ先１１５を貫通し、かつ当該ネジ先１１５をナット１５６によって堅く締め付けていることにより固定されている。
【００４８】
本発明の屋根安全具取付金具３００はまた、基板本体１１０の底部１３４全面に防水シート３０４が配置されていてもよい。防水シート３０４は、図６に示すように矩形の外観を有し、図５に示す基板本体１１０のネジ孔１２４に対応する位置に孔３０６が設けられている。さらに、防水シート３０４は、基板本体１１０の底部１３４と略同一の形状に設計されている。なお、防水シート３０４の厚みは特に限定されず、当業者によって適切な厚みが選択され得る。このような防水シート３０４は、例えば、エチレン・プロピレン・ジエンゴム（ＥＰＤＭ）のような耐水性を有する材料から構成されている。
【００４９】
このように本発明の屋根安全具取付金具３００は、カバー３０２および防水シート３０４によって、あらゆる角度からの基板本体１１０への水の浸入を防止することができる。これにより、屋根上に配置した際に、本発明の屋根安全具取付金具３００からの漏水のリスクを一層低減することが可能となる。なお、このような防水シートは、図１に示す屋根安全具取付具にも適用することができる。
【００５０】
図７は、本発明の屋根安全具取付金具の別の例を示す模式図であって、（ａ）は、当該屋根安全具取付金具の平面図であり、（ｂ）は（ａ）に示す屋根安全取付金具のＡ１−Ａ１断面図であり、そして（ｃ）は（ａ）に示す屋根安全取付金具のＢ１−Ｂ１断面図である。なお、図７において、図１と共通する構成には同一の符号が付されている。
【００５１】
図７に示す屋根安全具取付金具４００は、基板本体４１０と、当該基板本体４１０に固定された安全具取付具１６０とを備える。
【００５２】
基板本体４１０には、第１凹条部１２０に設けられた複数のネジ孔１２４に加えて、凸条部１１２，１１４の外側に配置された２つの第２凹条部１２６，１２８のうち、一方の第２凹条部１２８の底面１３２にも複数のネジ孔４２４が、例えば略均等な間隔を空けて設けられている。ネジ孔４２４のサイズは必ずしも限定されないが、基板本体４１０に設けられたネジ孔１２４と同一であっても異なっていてもよい。さらに、第２凹条部１２８に設けられるネジ孔４２４の数もまた必ずしも限定されず、基板本体４１０に設けられたネジ孔１２４の数と同一であっても異なっていてもよい。
【００５３】
図７の（ａ）〜（ｃ）に示すように、ネジ孔１２４とネジ孔４２４とは基板本体４１０の幅方向において重ならないように、第１凹条部１２０の底面１２２および第２凹条部１２８の底面１３２上にそれぞれ設けられている。ネジ孔１２４およびネジ孔４２４がこのように配置されていることにより、上下、左右、斜めに引っ張っても強固に安定した引抜耐力を確保することができる。
【００５４】
図７に示す屋根安全具取付金具４００は、例えば、図１に示す屋根安全具取付金具１００と比較して、基板本体４１０全体に設けられるネジ孔の数（すなわち、ネジ孔１２４およびネジ孔４２４の合計の数）を増加させることができる。これにより、屋根上への取付強度を高めることができる。
【００５５】
図８は、本発明の屋根安全具取付金具のさらに別の例を示す模式図であって、（ａ）は、当該屋根安全具取付金具の平面図であり、（ｂ）は（ａ）に示す屋根安全取付金具のＡ２−Ａ２断面図であり、そして（ｃ）は（ａ）に示す屋根安全取付金具のＢ２−Ｂ２断面図である。なお、図８において、図１と共通する構成には同一の符号が付されている。
【００５６】
図８に示す屋根安全具取付金具５００は、基板本体５１０と、当該基板本体５１０に固定された安全具取付具１６０とを備える。
【００５７】
基板本体５１０には、第１凹条部１２０に設けられた複数のネジ孔１２４に加えて、凸条部１１２，１１４の外側に配置された２つの第２凹条部１２６，１２８の底面１３０，１３２にも複数のネジ孔５２４ａ，５２４ｂが、例えば略均等な間隔を空けて設けられている。ネジ孔５２４ａ，５２４ｂのサイズは必ずしも限定されないが、基板本体５１０に設けられたネジ孔１２４と同一であっても異なっていてもよい。さらに、第２凹条部１２６，１２８に設けられるネジ孔５２４ａ，５２４ｂの数もまた必ずしも限定されず、基板本体５１０に設けられたネジ孔１２４の数と同一であっても異なっていてもよい。
【００５８】
図８の（ａ）〜（ｃ）に示すように、ネジ孔１２４とネジ孔５２４ａ、および／またはネジ孔１２４とネジ孔５２４ｂとは基板本体５１０の幅方向において重ならないように、第１凹条部１２０の底面１２２および第２凹条部１２６，１２８の底面１３０，１３２上にそれぞれ設けられている。これにより、上下、左右、斜めに引っ張っても強固に安定した引抜耐力を確保することができる。
【００５９】
図８に示す屋根安全具取付金具５００は、例えば、図１に示す屋根安全具取付金具１００と比較して、基板本体５１０全体に設けられるネジ孔の数（すなわち、ネジ孔１２４およびネジ孔５２４ａ，５２４ｂの合計の数）を増加させることができる。これにより、屋根上への取付強度を一層高めることができる。
【００６０】
図９は、図７に示す本発明の屋根安全具取付金具を屋根上に配置した状態を説明するための本発明の屋根構造の模式断面図である。なお、図９において、図３と共通する構成には同一の符号が付されている。
【００６１】
図９に示すように、本発明の屋根安全具取付金具４００は、化粧スレートのような屋根材で構成される屋根１８０上に配置され、第１凹条部１２０のネジ孔１２４および第２凹条部１２８のネジ孔４２４に、それぞれネジ１６９ａ，１６９ｂを通し、屋根１８０の下部に配置された野地板１８２、好ましくは野地板１８２と当該野地板１８２の下方に配置された垂木１８４、まで螺着させることにより、屋根安全具取付金具４００を屋根１８０上で強固に固定した屋根構造６００を得ることができる。
【００６２】
なお、このような屋根構造６００において、屋根安全具取付金具４００は、第２凹条部１２８に設けられたネジ孔４２４が、第１凹条部１２０に設けられたネジ孔１２４よりも屋根１８０の上流側に位置するように配置されることが好ましい。
【００６３】
このような配置によれば、作業者が安全具を介して屋根安全具取付金具４００の安全具取付具１６０を引っ張る際、図９の点Ｐ’が支点となるが、この場合、屋根安全具取付金具４００には、支点Ｐ’、ネジ孔１２４およびネジ１６９ａによって得られるモーメント（モーメントＡという）と、当該モーメントＡを上回る支点Ｐ’、ネジ孔４２４およびネジ１６９ｂによって得られるモーメント（モーメントＢという）との合計（モーメントＡ＋モーメントＢ）を得ることができる。その結果、図９に示す屋根構造６００では、ネジ１６９ａ，１６９ｂの合計の引抜耐力を一層高めることができる。
【００６４】
このように、本発明の屋根安全具取付金具によれば、屋根上に配置した際の引っ張り強度や引抜耐力を高め、作業者が屋根上でより安全に作業することができる。さらに、本発明の屋根安全具取付金具は優れた耐久性および耐漏水性も有する点で有用である。
【符号の説明】
【００６５】
１００，３００，４００，５００      屋根安全具取付金具
１１０，４１０，５１０              基板本体
１１２，１１４                      凸条部
１１６，１１８                      上面
１２０                              第１凹条部
１２４，４２４，５２４ａ，５２４ｂ  ネジ孔
１２５                              水平溝
１２６，１２８                      第２凹条部
１３６，１３８                      壁面
１４０，１４２                      裏面凹条部
１５２，１５３                      第２水平溝
１６０                              安全具取付具
１６９，１６９ａ，１６９ｂ          ネジ
１７２                              シャッター板
１８０                              屋根
１８２                              野地板
１８４                              垂木
２００，６００                      屋根構造
３０２                              カバー
３０４                              防水シート
【図１】
2020037841.tif 000003
【図２】
2020037841.tif 000004
【図３】
2020037841.tif 000005
【図４】
2020037841.tif 000006
【図５】
2020037841.tif 000007
【図６】
2020037841.tif 000008
【図７】
2020037841.tif 000009
【図８】
2020037841.tif 000010
【図９】
2020037841.tif 000011